(57)【要約】【課題】特別な設備がなくても広範囲に制御可能な移動無線装置を提供すること。【解決手段】移動無線装置は、単方向無線通信のための送信装置から送信された信号を受信する受信部と、自装置の現在位置を検出する位置検出部と、位置検出部が検出した現在位置又は当該現在位置を含むエリアに応じた、単方向無線通信用の識別情報を生成する識別情報生成部と、識別情報生成部が生成した識別情報を記憶する記憶部と、受信部が受信した信号に応じた処理を行う処理部とを備える。受信部は、送信装置から識別情報宛てに送信された信号を受信する。【選択図】図１
2010062716.tif 000002
【特許請求の範囲】
【請求項１】
単方向無線通信のための送信装置から送信された信号を受信する受信部と、
自装置の現在位置を検出する位置検出部と、
前記位置検出部が検出した現在位置又は前記現在位置を含むエリアに応じた、前記単方向無線通信用の識別情報を生成する識別情報生成部と、
前記識別情報生成部が生成した前記識別情報を記憶する記憶部と、
前記受信部が受信した信号に応じた処理を行う処理部と、を備え、
前記受信部は、前記送信装置から前記識別情報宛てに送信された信号を受信する移動無線装置。
【請求項２】
請求項１に記載の移動無線装置であって、
他の通信装置と双方向無線通信を行う無線部を備え、
前記受信部によって受信された信号が、前記無線部をオフ制御する制御信号の場合、前記処理部は、前記無線部の動作を停止するよう処理する移動無線装置。
【請求項３】
請求項１に記載の移動無線装置であって、
情報を表示する表示部を備え、
前記処理部は、前記受信部によって受信された信号に含まれる情報を前記表示部に表示するよう処理する移動無線装置。
【発明の詳細な説明】
【技術分野】
【０００１】
本発明は、移動無線装置に関し、特に、単方向無線通信の受信を行う移動無線装置に関する。
【背景技術】
【０００２】
特許文献１に開示されている移動無線機は、携帯電話機能を使用できない時に外部からデータを受信する代替手段として、ページャを搭載している。特許文献１に開示されているシステムでは、移動無線機のユーザが所有する定期券又は切符が改札口を通過した際、改札口に設置されたモード切替信号送出装置が、当該移動無線機にモード切替信号を送出する。移動無線機は、モード切替信号に応じてページャモード及び携帯電話モードのいずれかになる。
【０００３】
【特許文献１】特開平７−２４５７８２号公報
【発明の開示】
【発明が解決しようとする課題】
【０００４】
特許文献１に開示されている移動無線機の携帯電話機能をオンオフ制御するためには、電話機能制御用の特別な設備を改札口等に設置する必要がある。そのため、特別な設備がなくても広範囲に移動無線機の携帯電話機能をオンオフ制御することができない。また、移動無線機に搭載されたページャを利用して、特定の位置又はエリアに存在する移動無線機を制御することもできない。
【０００５】
本発明の目的は、特別な設備がなくても広範囲に制御可能な移動無線装置を提供することである。
【課題を解決するための手段】
【０００６】
本発明の移動無線装置は、単方向無線通信のための送信装置から送信された信号を受信する受信部と、自装置の現在位置を検出する位置検出部と、前記位置検出部が検出した現在位置又は前記現在位置を含むエリアに応じた、前記単方向無線通信用の識別情報を生成する識別情報生成部と、前記識別情報生成部が生成した前記識別情報を記憶する記憶部と、前記受信部が受信した信号に応じた処理を行う処理部と、を備える。前記受信部は、前記送信装置から前記識別情報宛てに送信された信号を受信する。
この構成により、移動無線装置は、自装置の現在位置又は現在位置を含むエリアに応じた、単方向無線通信用の識別情報を生成することができる。また、単方向無線通信用の識別情報により、送信装置から移動無線装置を管理／制御することができる。
【０００７】
上記移動無線装置は、他の通信装置と双方向無線通信を行う無線部を備える。前記受信部によって受信された信号が、前記無線部をオフ制御する制御信号の場合、前記処理部は、前記無線部の動作を停止するよう処理する。
この構成により、ユーザが移動無線装置を操作しなくても、無線部の動作を停止することができる。
【０００８】
上記移動無線装置は、情報を表示する表示部を備える。前記処理部は、前記受信部によって受信された信号に含まれる情報を前記表示部に表示するよう処理する。
この構成により、移動無線装置は、受信部により受信した情報をユーザに認識させることができる。
【発明の効果】
【０００９】
本発明に係る移動無線装置は、自装置の現在位置又は現在位置を含むエリアに応じた、単方向無線通信用の識別情報を生成することができる。また、単方向無線通信用の識別情報により、送信装置から移動無線装置を管理／制御することができる。
【発明を実施するための最良の形態】
【００１０】
以下、本発明の実施の形態について、図面を参照して説明する。
【００１１】
図１は、一実施の形態の移動無線システムの構成を示すブロック図である。図１に示す移動無線システムは、携帯電話１とページャ基地局６とから構成される。
【００１２】
携帯電話１は、双方向無線通信を行う携帯電話機能と、単方向無線通信を行うページャ機能とを有する。図１に示すように、携帯電話１は、ページャ機能を実現するページャ受信部２と、位置センサ３と、ページャ番号メモリ部４と、ＣＰＵ５と、双方向通信を実現する携帯電話無線部２７と、表示部３７とを備える。
【００１３】
位置センサ３は、例えばＧＰＳ機能により、携帯電話１の現在位置を検出する。ＣＰＵ５は、携帯電話１の現在位置又は携帯電話１が位置するエリアに応じたページャ用の識別情報（以下「ページャ番号」という。）を生成する。ＣＰＵ５によって生成されたページャ番号は、ページャ番号メモリ部４に格納される。なお、携帯電話１が移動した際、ＣＰＵ５は、移動した位置又は移動したエリアに応じたページャ番号を生成し、ページャ番号メモリ部４に格納されている移動前のページャ番号に当該新たに生成したページャ番号を上書きする。
【００１４】
ページャ番号メモリ部４は、ＣＰＵ５によって生成されたページャ番号を保持する。ページャ受信部２は、ページャ番号メモリ部４が保持するページャ番号宛てにページャ基地局６が送信した信号を受信する。ＣＰＵ５は、ページャ受信部２が受信した信号に応じた処理を行う。
【００１５】
携帯電話無線部２７は、他の通信装置と双方向無線通信を行い、ＣＰＵ５によって電波出力等がオンオフ制御される。表示部３７は、ページャ受信部２又は携帯電話無線部２７が受信した信号にデータとして含まれるテキストや画像等を表示する。
【００１６】
ページャ基地局６は、場所又はエリアに応じて異なるページャ番号に関する情報を保持し、所定のページャ番号の携帯電話に信号を送信する。ページャ基地局６が送信する信号は、携帯電話１の携帯電話無線部２７をオフ制御する制御信号や、携帯電話１の表示部３７に表示するテキストデータや画像データ等を含む信号等である。
【００１７】
本実施形態の移動無線システムによれば、特定の場所又は特定のエリア内に複数の携帯電話１が位置する場合、これらの携帯電話のページャ番号は同じであるため、ページャ基地局６は当該携帯電話に信号を一斉送信することができる。
【００１８】
例えば、ページャ基地局６から送信された信号が携帯電話無線部２７をオフ制御する制御信号の場合、電波出力が禁止されている病院等の場所又はエリア内に位置する全ての携帯電話１で、ＣＰＵ５は、携帯電話無線部２７の動作を停止するよう処理する。したがって、当該携帯電話１は電波を出力しない状態となる。なお、電波出力が禁止されている場所又はエリア外に携帯電話１が移動すると、ＣＰＵ５はページャ番号を変更する。このとき、ＣＰＵ５は、携帯電話無線部２７の動作を再開するよう処理する。このように、携帯電話１は、ユーザによる操作を一切介さずに、場所又はエリアに応じて携帯電話無線部２７をオンオフ制御することができる。
【００１９】
また、ページャ基地局６から送信された信号が災害情報等を含む信号の場合、被災地等の場所又はエリア内に位置する全ての携帯電話１で、ＣＰＵ５は、受信した信号に含まれる情報を表示部３７に表示するよう処理する。なお、場所又はエリア毎にページャ番号は異なるため、ページャ基地局６は、場所又はエリア毎に異なる情報を適当な携帯電話１に送ることができる。したがって、特定の場所又は特定のエリア内に位置する携帯電話１のユーザは、その場所又はそのエリア内に居る者にとって必要な情報を得ることができる。例えば、被災地に居る者は、その場所から避難するために必要な情報（避難先や避難経路等）を得ることができる。
【産業上の利用可能性】
【００２０】
本発明に係る移動無線装置は、特定の場所又は特定のエリア内の携帯電話に信号を一斉送信する片方向無線通信等に有用である。
【図面の簡単な説明】
【００２１】
【図１】一実施の形態の移動無線システムの構成を示すブロック図
【符号の説明】
【００２２】
１  携帯電話
２  ページャ受信部
３  位置センサ
４  ページャ番号メモリ部
５  ＣＰＵ
６  ページャ基地局
２７  携帯電話無線部
３７  表示部
【図１】
2010062716.tif 000003